(57)【要約】【課題】面倒な設定をしなくても着信者の現在の状況を留守番電話応答メッセージとして発信者に通知できるようにする。【解決手段】着信者の現在位置を検出する現在位置検出手段１０１と、地図データを記憶する地図データ記憶手段１０７と、検出された着信者の現在位置をもとに地図データ記憶手段１０７から住所や施設名、道路名等の位置情報を取得して、その位置情報を含めて留守番電話用のメッセージの作成を行うメッセージ生成手段１０２と、着信を検出して、作成したメッセージを発信者へ送信する通信手段１１０とを備えている。発信者への応答メッセージは、着信者の現在の居場所情報、着信者の行動予定情報、移動先情報を含む内容となるので、発信者は着信者の現在の状況を知ることができ、応答メッセージを自動的に設定することができる。【選択図】  図１
2004274644.tif 000002
【特許請求の範囲】
【請求項１】
着信者の現在位置を検出する現在位置検出手段と、地図データを記憶する地図データ記憶手段と、前記現在位置検出手段により検出された着信者の現在位置をもとに前記地図データ記憶手段から位置情報を取得して、前記位置情報を含めて留守番電話用のメッセージの生成を行うメッセージ生成手段と、着信を検出して前記メッセージ生成手段からのメッセージを発信者へ送信する通信手段とを備えたことを特徴とする携帯電話装置。
【請求項２】
日時を検出する計時手段と、イベント情報を記憶するイベント情報記憶手段とを備え、前記メッセージ作成手段は、前記計時手段により検出された日時および前記位置情報をもとに前記イベント情報記憶手段からイベント情報を取得して前記メッセージを作成することを特徴とする請求項１に記載の携帯電話装置。
【請求項３】
着信者自身の行動予定情報を管理するスケジュール管理手段を備え、前記メッセージ作成手段は、前記位置情報をもとに前記スケジュール管理手段から行動予定情報を取得して前記メッセージを作成することを特徴とする請求項１または請求項２に記載の携帯電話装置。
【請求項４】
着信者の現在位置から目的地までの時間情報を求める所要時間計算手段を備え、前記メッセージ作成手段は、前記所要時間計算手段から時間情報を取得して前記メッセージを作成することを特徴とする請求項１ないし請求項３のいずれかに記載の携帯電話装置。
【請求項５】
前記メッセージ作成手段は、着信者の現在の居場所を示す位置情報と催し事を示すイベント情報と着信者の行動予定情報と着信者の目的地までの時間情報とを含む応答情報モードのうちの一以上の情報を組み合わせてメッセージを作成することを特徴とする請求項１に記載の携帯電話装置。
【請求項６】
発信電話番号通知機能により発信者を識別する発信者識別手段を備え、前記発信者識別手段により発信者を特定して、予め登録してある発信者別の応答情報モードを選択することを特徴とする請求項１ないし請求項５のいずれかに記載の携帯電話装置。
【請求項７】
携帯電話装置と外部通信装置とがネットワークで接続された無線通信システムであって、前記携帯電話装置は、現在位置を検出する現在位置検出手段と、前記ネットワークを介して通信を行う通信手段とを備え、前記外部通信装置は、前記ネットワークを介して通信を行う通信手段と、留守番電話用のメッセージの生成を行うメッセージ生成手段とを備え、前記外部通信装置は、前記携帯電話装置から受信した現在位置に応じたメッセージを作成して前記携帯電話装置へ発信した別の電話装置へ送信することを特徴とする無線通信システム。
【請求項８】
前記外部通信装置は、地図データを記憶する地図データ記憶手段と、日時を検出する計時手段と、イベント情報を記憶するイベント情報記憶手段と、行動予定情報を管理するスケジュール管理手段と、現在位置から目的地までの所要時間または予想到着時間を計算する所要時間計算手段のうちの少なくとも１つを備えたことを特徴とする請求項７に記載の無線通信システム。
【請求項９】
前記携帯電話装置は、発信電話番号通知機能により発信者を識別する発信者識別手段を備え、前記発信者識別手段により発信者を特定した発信者情報を前記外部通信装置に送信し、前記外部通信装置は、受信した前記発信者情報をもとに前記携帯電話装置から予め受信して登録してある発信者別の応答情報モードを選択することを特徴とする請求項７または請求項８に記載の無線通信システム。
【発明の詳細な説明】
【０００１】
【発明の属する技術分野】
本発明は、位置情報を用いて留守番電話の応答内容を変更する携帯電話装置および無線通信システムに関するものである。
【０００２】
【従来の技術】
従来の携帯電話装置において、携帯電話装置を車載装置に接続して、車載装置からの位置情報や速度情報を用いて運転中と判断された場合に、運転中の安全確保のため自動的に通常の待ち受け状態から車の運転中である旨をメッセージで伝えるドライブモードに変更するものが知られている（例えば特許文献１参照）。また、従来の携帯電話装置において、メモリ上に予め電話番号を登録しておき、電話がかかってきたときに登録された発信者に応じた応答メッセージを選択し、送信するものが知られている（例えば特許文献２参照）。さらに、従来の携帯電話装置において、発信者の情報または着信回数により留守番電話の応答メッセージを選択し、さらに通話に対する優先度を設けて重要な通話だと判断された場合には、着信モードを変更するというものが知られている（例えば特許文献３参照）。
【０００３】
【特許文献１】
特開２０００−３５４２７０号公報（第２−３頁、第１図）
【特許文献２】
特開平１０−２１５３０９号公報（第２−４頁、第１図）
【特許文献３】
特開２００１−３２６７１８号公報（第３−１１頁、第１図）
【０００４】
【発明が解決しようとする課題】
しかしながら、従来の携帯電話装置においては、車の運転中には自動的にドライブモードに設定しても、これにより発信者が得られる情報は着信者が運転中であるということだけで、より細かな情報を得ることはできないという問題があった。また、発信者の情報により応答メッセージを選択する場合には、着信者はあらかじめ発信者毎に応答メッセージを作成、設定しておかなければならないという問題があった。さらに、着信者が現在位置や時刻によって変化するような自身の状況を発信者に伝えるためには、状況が変化する度に着信者が応答メッセージを作成、設定しなければならないという問題があった。
【０００５】
本発明は、このような従来の問題を解決するためになされたもので、発信者への応答メッセージの中に着信者の現在の状況を含めるとともに、応答メッセージを自動的に設定することのできる携帯電話装置および無線通信システムを提供することを目的とする。
【０００６】
【課題を解決するための手段】
本発明の携帯電話装置は、着信者の現在位置を検出する現在位置検出手段と、地図データを記憶する地図データ記憶手段と、前記現在位置検出手段により検出された着信者の現在位置をもとに前記地図データ記憶手段から位置情報を取得して、前記位置情報を含めて留守番電話用のメッセージの生成を行うメッセージ生成手段と、着信を検出して前記メッセージ生成手段からのメッセージを発信者へ送信する通信手段とを備えたことを特徴とする。この構成により、発信者への応答メッセージは、着信者がいる場所の住所、施設、建物、道路、交差点等の名称を含む内容となるので、発信者は着信者の現在の状況を知ることができ、応答メッセージを自動的に設定することができる。
【０００７】
また、本発明の携帯電話装置は、日時を検出する計時手段と、イベント情報を記憶するイベント情報記憶手段とを備え、前記メッセージ作成手段は、前記計時手段により検出された日時および前記位置情報をもとに前記イベント情報記憶手段からイベント情報を取得して前記メッセージを作成することを特徴とする。この構成により、着信者の現在位置のみならず日時も考慮したイベント情報が発信者へ通知されるため、発信者はより詳しく着信者の状況を知ることができる。
【０００８】
また、本発明の携帯電話装置は、着信者自身の行動予定情報を管理するスケジュール管理手段を備え、前記メッセージ作成手段は、前記位置情報をもとに前記スケジュール管理手段から行動予定情報を取得して前記メッセージを作成することを特徴とする。この構成により、着信者の行動予定が通知されるため、発信者は現在だけではなく未来の着信者の状況をも知ることができる。
【０００９】
また、本発明の携帯電話装置は、着信者の現在位置から目的地までの時間情報を求める所要時間計算手段を備え、前記メッセージ作成手段は、前記所要時間計算手段から時間情報を取得して前記メッセージを作成することを特徴とする。この構成により、発信者は、着信者の目的地までの所要時間や到達予想時間といった、より細かな状況を知ることができる。
【００１０】
また、本発明の携帯電話装置は、前記メッセージ作成手段が、着信者の現在の居場所を示す位置情報と催し事を示すイベント情報と着信者の行動予定情報と着信者の目的地までの時間情報とを含む応答情報モードのうちの一以上の情報を組み合わせてメッセージを作成することを特徴とする。この構成により、発信者は着信者のより詳細な状況を知ることができる。
【００１１】
また、本発明の携帯電話装置は、発信電話番号通知機能により発信者を識別する発信者識別手段を備え、前記発信者識別手段により発信者を特定して、予め登録してある発信者別の着信モードを選択することを特徴とする。この構成により、着信者は、それぞれの発信者に応じた内容のメッセージを送信することができる。
【００１２】
また、本発明の無線通信システムは、携帯電話装置と外部通信装置とがネットワークで接続された無線通信システムであって、前記携帯電話装置は、現在位置を検出する現在位置検出手段と、前記ネットワークを介して通信を行う通信手段とを備え、前記外部通信装置は、前記ネットワークを介して通信を行う通信手段と、留守番電話用のメッセージの生成を行うメッセージ生成手段とを備え、前記外部通信装置は、前記携帯電話装置から受信した現在位置に応じたメッセージを作成して前記携帯電話装置へ発信した別の電話装置へ送信することを特徴とする。この構成により、発信者への応答メッセージは、着信者がいる場所の位置情報を含む内容となるので、発信者は着信者の現在の状況を知ることができ、応答メッセージを自動的に設定することができる。
【００１３】
また、本発明の無線通信システムは、前記外部通信装置が、地図データを記憶する地図データ記憶手段と、日時を検出する計時手段と、イベント情報を記憶するイベント情報記憶手段と、行動予定情報を管理するスケジュール管理手段と、現在位置から目的地までの所要時間または予想到着時間を計算する所要時間計算手段のうちの少なくとも１つを備えたことを特徴とする。この構成により、着信者の状況を発信者に通知する機能を実現しつつも、携帯電話装置に搭載しなければならない機能やメモリを減らすことができるので、携帯電話装置を軽量化し、消費電力を抑えることができる。
【００１４】
また、本発明の無線通信システムは、前記携帯電話装置が、発信電話番号通知機能により発信者を識別する発信者識別手段を備え、前記発信者識別手段により発信者を特定した発信者情報を前記外部通信装置に送信し、前記外部通信装置は、受信した前記発信者情報をもとに前記携帯電話装置から予め受信して登録してある発信者別の応答情報モードを選択することを特徴とする。この構成により、着信者は、外部通信装置を介してそれぞれの発信者に応じた内容のメッセージを送信することができる。
【００１５】
【発明の実施の形態】
以下、本発明の実施の形態について図面を用いて説明する。
（実施の形態１）
図１は本発明の第１の実施の形態における携帯電話装置の構成を示している。図１において、ＰＨＳ（Ｐｅｒｓｏｎａｌ  Ｈａｎｄｙｐｈｏｎｅ  Ｓｙｓｔｅｍ）の携帯電話装置１００は、ＰＨＳの基地局電波を利用して現在位置を検出する現在位置検出手段１０１と、発信者への留守番電話メッセージの作成を行うメッセージ生成手段１０２と、目的地を入力すると目的地までの所要時間または予想到着時間を計算する所要時間計算手段１０３と、日時を検出する計時手段１０４と、目的地や応答情報モードなどを設定するのに必要な情報を入力する入力手段１０５と、発信電話番号通知機能により発信者を識別する発信者識別手段１０６と、道路データおよび現在位置検出手段１０１が検出した緯度、経度情報に対応する住所、施設、建物、道路、交差点等の位置情報を記憶する地図データ記憶手段１０７と、位置、日時、開催内容等の情報を記憶するイベント情報記憶手段１０８と、自身の行動予定を管理するスケジュール管理手段１０９と、基地局との間で無線通信を行う通信手段１１０と、携帯電話装置１００の全体を制御するとともに、着信モードや応答情報モードを選択するマイクロコンピュータである制御部１１１とを備えたものである。
【００１６】
以上のように構成された携帯電話装置について、図２および図３を用いてその動作を説明する。図２は初期情報の設定フローである。まず、着信を受ける前に、着信モードとして、通常着信モードか、留守番電話モードかを入力手段１０５によって設定する（ステップＳ２０１）。次に、制御部１１１によって着信モードの判定を行い（ステップＳ２０２）、留守番電話モードであれば、どの情報を応答メッセージとして設定するかという応答情報モードを入力手段１０５によって入力設定する（ステップＳ２０３）。本実施の形態１では、応答情報モードとして、位置情報、イベント情報、行動予定情報、目的地情報の４種類が設定されている。次に、制御部１１１は、設定された応答情報モードを判定し（ステップＳ２０４）、それが目的地情報モードであれば、所要時間または予想到着時間の計算を行うために、目的地情報を入力手段１０５により入力設定する（ステップＳ２０５）。
【００１７】
図３は着信時の処理フローである。通信手段１１０を介して発信電話装置からの着信を検出すると、まず発信者識別手段１０６により発信者を特定し、予め登録してある発信者別の応答情報モードを設定する（ステップＳ３０１）。これは、電話帳機能を利用して作成した電話帳の個人毎またはグループ毎に、どのようなモードで応答するかを関連付けておく。上記したように、本実施の形態１では、応答情報モードは、位置情報、イベント情報、行動予定情報、目的地情報の４種類が規定されているので、例えば発信者の「○○太郎」は位置情報、発信者の「○○花子」はイベント情報というように対応を関係付けておき、「○○太郎」からの着信に対しては、位置情報をメッセージに含めて送信し、「○○花子」からの着信に対しては、イベント情報をメッセージに含めて送信することになる。次に、制御部１１１は、図２のステップＳ２０１で設定された着信モードを判定し（ステップＳ３０２）、通常着信モードであれば通常着信を実施し（ステップＳ３１２）、留守番電話モードであれば、ＰＨＳの基地局電波を利用して現在位置検出手段１０１により現在位置の検出を行う（ステップＳ３０３）。基地局から受信した電波には、基地局の位置を示す番号が含まれているので、この番号を現在位置検出手段１０１により緯度、経度情報に変換する。次いで、計時手段１０４によって日時を検出し（ステップＳ３０４）、制御部１１１によって、ステップＳ３０１で特定された発信者の応答情報モードを判定し（ステップＳ３０５）、応答情報モードが位置情報であれば地図データ記憶手段１０７から住所、施設名、建物名、道路名、交差点名等の位置情報を検索し（ステップＳ３０６）、イベント情報ならばイベント情報記憶手段１０８からイベント情報を検索し（ステップＳ３０７）、行動予定情報ならばスケージュール管理手段１０９からスケジュールを検索し（ステップＳ３０８）、目的地情報ならば所要時間計算手段１０３により目的地までの所要時間を計算する（ステップＳ３０９）。
【００１８】
ステップＳ３０６では、ステップＳ３０３で検出した緯度、経度情報をもとに、着信者が現在いる場所の目印となる住所、施設名、建物名、道路名、交差点名などの位置情報を、地図データ記憶手段１０７の地図データを用いて検索する。ステップＳ３０７では、ステップＳ３０３で検出した緯度、経度情報およびステップＳ３０４で検出した日時情報をもとに、着信者が現在いる花火大会や祭り等のイベント情報をイベント情報記憶手段１０８を用いて検索する。ステップＳ３０８では、ステップＳ３０４で検出した日時情報をもとに、現時点以降の自身の行動予定をスケジュール管理手段１０９を用いて検索する。ステップＳ３０９では、ステップＳ３０３で検出した緯度、経度情報および図２のステップＳ２０５で設定した目的地情報ならびにステップＳ３０４で検出した日時情報をもとに、着信者がこれから向かおうとしている目的地までの所要時間または予想到着時間を、所要時間計算手段１０３により、地図データ記憶手段１０７内の地図データの距離情報を用いて計算する。そして、ステップＳ３０６〜Ｓ３０９で選択した応答情報モードに基づいて、メッセージ生成手段１０２が応答メッセージの作成を行い（ステップＳ３１０）、作成した応答メッセージを通信手段１１０を介して発信者に音声またはメールで送信する（ステップＳ３１１）。
【００１９】
応答メッセージの作成は、応答情報モードが位置情報の場合は、着信者が現在いる場所の名称を含むものであり、「只今、○町×丁目にいます」、「只今、○○デパートにいます」などのメッセージを作成する。応答情報モードがイベント情報の場合は、着信者が現在いる場所のイベントの名称を含むものであり、「只今、○○花火大会にいます」、「只今、○○祭りにいます」などのメッセージを作成する。応答情報モードが行動予定情報の場合は、着信者の行動予定を含むものであり、「只今、会議中です。午後３時頃終わる予定です」などのメッセージを作成する。応答情報モードが目的地情報の場合は、着信者の目的地までの所要時間または到達予想時刻を含むものであり、「只今、○○にいます。あと１０分ほどで××に着きます」、「只今、新幹線の中です。○○時頃にそちらに到着する予定です」などのメッセージを作成する。そして、これらのメッセージは、メモリ内に単語やフレーズとして格納されており、固定の定型文と、ユーザが任意に登録した単語やフレーズであるカスタマイズとの２種類が登録されており、ユーザが特に指定しない限り、通常は定型文が使用される。
【００２０】
このように、本発明の実施の形態１によれば、着信者は面倒な設定をすることなく留守番電話メッセージの内容を発信者に応じて自動的に変更することができる。また、検出した現在位置に基づいて応答メッセージの内容を自動的に変更するので、着信者は電話に出なくても現在の状況を発信者に伝えることができる。また、これらの処理は携帯電話装置自身が行うので、留守番電話サービスセンターなどの外部施設を必要としない。
【００２１】
なお、以上の説明では、現在位置検出手段１０１をＰＨＳの基地局電波を利用するものとしたが、携帯電話装置１００にＧＰＳ受信機を搭載して、ＧＰＳ衛星からの電波を受信してデータ解析することにより現在位置の検出を行うようにしてもよい。
【００２２】
また、以上の説明では、住所、施設等の位置情報を含む地図データや大会や祭り等のイベント情報、行動予定情報が予め地図データ記憶手段１０７、イベント情報記憶手段１０８、スケジュール管理手段１０９にそれぞれ記憶されているものとしたが、これらはユーザー自身の入力によってデータを得るようにしてもよい。例えば、地図データとイベント情報に関してはサーバからのダウンロード、外部機器からの転送、スケジュールに関してはパソコンなど他の装置からの転送によってデータを得るようにしてもよい。
【００２３】
また、以上の説明では、応答情報モードは１つのみ選択されているが、「○町の×丁目の映画館にいます。○○デパートの○○展を見た後、××時頃に家に戻る予定です」、「これからそちらへ出かけます。後××分で着きます」など、２つ以上の応答情報モードを組み合わせて応答メッセージを作成してもよい。また、「ピーという発信音の後にメッセージを入れて下さい」という留守録メッセージを発信者に送信し、発信者から応答メッセージを受信した場合は、その応答メッセージを、携帯電話装置１００内のメモリに録音するようにしてもよい。
【００２４】
（実施の形態２）
次に、本発明の第２の実施の形態における無線通信システムについて図４から図８を用いて説明する。本実施の形態２は、図４に示すように、ＰＨＳ用の携帯電話装置４００を基地局４１５および公衆電話網４１６を介して外部通信装置４０６に接続したものである。公衆電話網４１６には、携帯電話装置４００に電話を掛けてきた発信者電話装置４１７も接続されている。発信者電話装置４１７は、固定電話であっても携帯電話であってもよい。また、携帯電話装置４００と外部通信装置４０６と発信者電話装置４１７とは専用のネットワークで接続されていてもよい。携帯電話装置４００は、ＰＨＳの基地局電波を利用して現在位置を検出する現在位置検出手段４０１と、目的地や応答情報モードなどを設定するのに必要な情報を入力する入力手段４０２と、発信先電話番号により発信者を識別する発信者識別手段４０３と、公衆電話網４１６を通じて外部通信装置４０６または発信者電話装置４１７と通信を行う通信手段４０４と、携帯電話装置４００の全体を制御するマイクロコンピュータである制御部４０５とを備えている。
【００２５】
一方、外部通信装置４０６は、公衆電話網４１６を通じて携帯電話装置４００または発信者電話装置４１７と通信を行う通信手段４０７と、留守番電話用のメッセージの作成を行うメッセージ生成手段４０８と、目的地を入力すると目的地までの所要時間または予想到着時間を計算する所要時間計算手段４０９と、日時を検出する計時手段４１０と、着信者の行動予定を管理するスケジュール管理手段４１１と、道路データおよび緯度、経度情報に対応する住所、施設、建物、道路、交差点等の位置情報を記憶する地図データ記憶手段４１２と、位置、日時、開催内容等の情報を記憶するイベント情報記憶手段４１３と、外部通信装置４０６の全体を制御するマイクロコンピュータである制御部４１４とを備えたものである。
【００２６】
以上のように構成された無線通信システムについて、図５から図８を用いてその動作を説明する。まず、図８を用いて動作の概略について説明する。図８において、着信者は、着信者が保持する携帯電話装置４００から外部通信装置４００６に対し、着信モード、応答情報モード、目的地情報、スケジュール情報等の必要な情報を送信しておく。そして、着信者携帯電話装置４００に発信者電話装置４１７から着信があると、着信者携帯電話装置４００は、外部通信装置４０６に対し、着信者の現在位置および発信者情報を送信し、外部通信装置４０６は、受信した情報をもとに応答メッセージを作成して発信者携帯電話装置４１７に送信する。
【００２７】
図５は携帯電話装置４００における初期情報の設定フローである。まず、着信を受ける前に、着信モードとして、通常着信モードか、留守番電話モードかを入力手段４０２によって設定する（ステップＳ５０１）。次に、制御部４０５によって着信モードの判定を行い（ステップＳ５０２）、留守番電話モードであれば、どの情報を応答メッセージとして設定するかという応答情報モードを入力手段４０２によって入力設定する（ステップＳ５０３）。本実施の形態２では、応答情報モードとして、位置情報、イベント情報、行動予定情報、目的地情報の４種類が設定されている。次に、制御部４０５は、設定された応答情報のモードを判定し（ステップＳ５０４）、それが目的地情報モードであれば、所要時間または予想到着時間の計算を行うために、目的地情報を入力手段４０２により入力設定する（ステップＳ５０５）。そして、ステップＳ５０１、Ｓ５０３およびＳ５０５において設定したデータを、通信手段４０４により、基地局４１５、公衆電話網４１６を介して外部通信装置４０６に送信する（ステップＳ５０６）。
【００２８】
図６は携帯電話装置４００における着信時の処理フローである。通信手段４０４を介して発信者電話装置４１７から着信を検出すると、まず発信者識別手段４０３により発信者を特定し、予め登録してある発信者別の応答情報モードを設定する（ステップＳ６０１）。上記したように、本実施の形態２では、応答情報モードは、位置情報、イベント情報、行動予定情報、目的地情報の４種類が規定されているので、例えば発信者の「○○太郎」は位置情報、発信者の「○○花子」はイベント情報というように対応を関係付けておき、「○○太郎」からの着信に対しては、位置情報をメッセージに含めて送信し、「○○花子」からの着信に対しては、イベント情報をメッセージに含めて送信することになる。次に、制御部４０５は、携帯電話装置４００から受信した着信モードを判定し（ステップＳ６０２）、通常着信モードであれば通常着信を実施し（ステップＳ６０５）、留守番電話モードであれば、ＰＨＳの基地局電波を利用して現在位置検出手段４０１により現在位置の検出を行う（ステップＳ６０３）。基地局から受信した電波には、基地局の位置を示す番号が含まれているので、この番号を現在位置検出手段１０１により緯度、経度情報に変換する。そして、ステップＳ６０１で特定した発信者情報およびステップＳ６０３で検出した現在位置の緯度、経度データを、通信手段４０４により、基地局４１５、公衆電話網４１６を介して外部通信装置４０６に送信する（ステップＳ６０４）。
【００２９】
図７は外部通信装置４０６における処理フローである。まず携帯電話装置４００から通信手段４０７を介して現在位置と発信者情報が受信されたかを判断し（ステップＳ７０１）、受信された場合には、計時手段４１０によって日時を検出し（ステップＳ７０２）、制御部４１４によって、受信した発信者応答情報モードを判定し（ステップＳ７０３）、応答情報モードが位置情報であれば、受信した緯度、経度データをもとに地図データ記憶手段４１２から目印となる住所、施設、建物名等を検索し（ステップＳ７０４）、イベント情報ならばイベント情報記憶手段４１３からイベント情報を検索し（ステップＳ７０５）、行動予定情報ならばスケージュール管理手段４１１からスケジュールを検索し（ステップＳ７０６）、目的地情報ならば所要時間計算手段４０９により目的地までの所要時間を計算する（ステップＳ７０７）。
【００３０】
ステップＳ７０４では、ステップＳ７０１で受信した緯度、経度情報をもとに、携帯電話装置４００を保持する着信者が現在いる場所の目印となる住所、施設名、建物名、道路名、交差点名などの位置情報を、地図データ記憶手段４１２の地図データを用いて検索する。ステップＳ７０５では、ステップＳ７０１で受信した緯度、経度情報およびステップＳ７０２で検出した日時情報をもとに、携帯電話装置４００を保持する着信者が現在いる花火大会や祭り等のイベント情報をイベント情報記憶手段４１３を用いて検索する。ステップＳ７０６では、ステップＳ７０２で検出した日時情報をもとに、携帯電話装置４００を保持する着信者の現時点以降の行動予定をスケジュール管理手段４１１を用いて検索する。ステップＳ７０７では、ステップＳ７０１で受信した情報の中に目的地情報が含まれていれば、受信した緯度、経度情報および目的地情報とステップＳ７０２で検出した日時情報をもとに、携帯電話を保持する着信者がこれから行こうとしている目的地までの所要時間または予想到着時間を、所要時間計算手段４０９により、地図データ記憶手段４１２内の地図データの距離情報を用いて計算する。そして、ステップＳ７０４〜Ｓ７０７で設定した応答情報モードをもとに、メッセージ生成手段４０８が応答メッセージの作成を行い（ステップＳ７０８）、作成した応答メッセージを、通信手段４０７により、公衆電話網４１６を介して発信者電話装置４１７へ音声またはメールで送信する（ステップＳ７０９）。
【００３１】
このように、本発明の実施の形態２によれば、着信者は面倒な設定をすることなく留守番電話メッセージの内容を発信者に応じて自動的に変更することができる。また、検出した現在位置に基づいて応答メッセージの内容を自動的に変更するので、着信者は電話に出なくても現在の状況を発信者に伝えることができる。また、携帯電話装置４００自体には、現在位置検出手段４０１、入力手段４０２、通信手段４０４、制御手段４０５の必要最小限の構成のみとし（発信者識別手段４０３は任意に搭載可能）、他の手段またはデータは外部通信装置４０６に組み込むようにしたので、実施の形態１の携帯電話装置と同等の性能を持ちながら、携帯電話装置の大きさや消費電力を低減することができる。
【００３２】
なお、以上の説明では、現在位置検出手段４０１をＰＨＳの基地局電波を利用するものとしたが、携帯電話装置４００にＧＰＳ受信機を搭載して、ＧＰＳ衛星からの電波を受信してデータ解析することにより現在位置の検出を行うようにしてもよい。
【００３３】
また、以上の説明では、外部通信装置４０６では、応答情報モードを１つのみ選択するようにしているが、２つ以上の応答情報モードを組み合わせて応答メッセージを作成してもよい。また、「ピーという発信音の後にメッセージを入れて下さい」という留守録メッセージを発信者電話装置４１７に送信し、発信者電話装置４１７から応答メッセージを受信した場合は、その応答メッセージを録音して、携帯電話装置４００に「受信メッセージあり」を通知するようにしてもよい。
【００３４】
また、以上の説明では、メッセージ生成手段４０８、所要時間計算手段４０９、計時手段４１０、スケジュール管理手段４１１、地図データ記憶手段４１２、イベント情報記憶手段４１３がすべて外部通信装置４０６に搭載されているが、これらのうちの少なくともどれか１つが搭載されていても実施可能である。また、外部通信装置４０６を複数設けてそれぞれに機能を分散させるようにしてもよい。例えば、メッセージ生成手段４０８は留守番電話サービスセンター、所要時間計算手段４０９はカーナビゲーションシステムのものを利用してもよい。また、カーナビゲーションシステムにあらかじめ記録されている経路案内の音声を応答メッセージに利用してもよい。
【００３５】
【発明の効果】
以上説明したように、本発明の携帯電話装置および無線通信システムは、着信者の現在位置を検出して、その現在位置から地図データを検索して住所などの位置情報を求め、その位置情報を含めて発信者にメッセージを送信するようにしたので、発信者は着信者の現在の状況を知ることができ、応答メッセージを自動的に設定することができる。
【図面の簡単な説明】
【図１】本発明の第１の実施の形態における携帯電話装置のブロック図
【図２】本発明の第１の実施の形態における携帯電話装置の初期情報設定の動作説明のためのフロー図
【図３】本発明の第１の実施の形態における携帯電話装置の着信時の動作説明のためのフロー図
【図４】本発明の第２の実施の形態における無線通信システムのブロック図
【図５】本発明の第２の実施の形態における携帯電話装置の初期情報設定の動作説明のためのフロー図
【図６】本発明の第２の実施の形態における携帯電話装置の着信時の動作説明のためのフロー図
【図７】本発明の第２の実施の形態における外部通信装置の動作説明のためのフロー図
【図８】本発明の第２の実施の形態における無線通信システムの概略動作を説明するためのシーケンス図
【符号の説明】
１００  携帯電話装置
１０１  現在位置検出手段
１０２  メッセージ生成手段
１０３  所要時間計算手段
１０４  計時手段
１０５  入力手段
１０６  発信者識別手段
１０７  地図データ記憶手段
１０８  イベント情報記憶手段
１０９  スケジュール管理手段
１１０  通信手段
１１１  制御部
４００  携帯電話装置
４０１  現在位置検出手段
４０２  入力手段
４０３  発信者識別手段
４０４  通信手段
４０５  制御部
４０６  外部通信装置
４０７  通信手段
４０８  メッセージ生成手段
４０９  所要時間計算手段
４１０  計時手段
４１１  スケジュール管理手段
４１２  地図データ記憶手段
４１３  イベント情報記憶手段
４１４  制御部
４１５  基地局
４１６  公衆電話網
４１７  発信者電話装置
【図１】
2004274644.tif 000003
【図２】
2004274644.tif 000004
【図３】
2004274644.tif 000005
【図４】
2004274644.tif 000006
【図５】
2004274644.tif 000007
【図６】
2004274644.tif 000008
【図７】
2004274644.tif 000009
【図８】
2004274644.tif 000010